(57)【要約】【課題】使用後高温となるようなヘアケア家電を安全に収納することができる収納用ラックおよびキャビネットおよび洗面化粧台を提案する。【解決手段】収納用ラック１においては、キャビネット２１に取り付け可能であって、ヘアスタイリングするためのヘアケア家電３を立てて収納する収納部１０を備えていおうる。収納部１０は、底面部１１と、底面部１１に垂直な側壁部１２を四面有し、上方からヘアケア家電３を出し入れ可能な開口部１３を備えている。収納部１０の下部には、対向する二面の側壁部１２を架渡し、ヘアケア家電３の倒れを抑制するために倒れ防止部材１４を底面部１１よりも上方に備えている。【選択図】図１
2019072293.tif 000002
【特許請求の範囲】
【請求項１】
キャビネットに取り付け可能な収納用ラックであって、
前記収納用ラックは、ヘアケア家電を立てて収納する収納部を備え、
前記収納部は、底面部と、前記底面部に垂直な側壁部を四面有し、上方から前記ヘアケア家電を出し入れ可能な開口部を備え、
前記収納部の下部には、対向する二面の前記側壁部を架渡す前記ヘアケア家電の倒れを抑制するために倒れ防止部材を前記底面部よりも上方に備えたことを特徴とする収納用ラック。
【請求項２】
前記収納部は、前記開口部から上方に突出させた第二の倒れ防止部材を有し、前記第二の倒れ防止部材により前記収納部を仕切り、複数の開口部を形成したことを特徴とする請求項１に記載の収納用ラック。
【請求項３】
前記収納部は、線材にて形成されていて、四面の前記側壁部は上下方向に前記線材が複数架渡されて並設されていることを特徴とする請求項１または２に記載の収納用ラック。
【請求項４】
請求項１から３のいずれか一項に記載の収納用ラックを、取り付けたことを特徴とするキャビネット。
【請求項５】
前記キャビネットは、内部に一部が抽斗部となる収納スペースを有し、
前記収納用ラックは、前記抽斗部に備えられていることを特徴とする請求項４に記載のキャビネット。
【請求項６】
請求項４または５に記載のキャビネットと洗面ボウルを備え、
前記収納用ラックが、前記洗面ボウルよりも下方に位置することを特徴とする洗面化粧台。
【発明の詳細な説明】
【技術分野】
【０００１】
本発明は、安全性をより高めた収納用ラックおよびキャビネットおよび洗面化粧台に関する。
【背景技術】
【０００２】
洗面化粧台にヘアドライヤーなどの家電を収納する部分を設けた先行例として、例えば特許文献１がある。特許文献１では、洗面化粧台の収納部において、前面を開閉する扉の収納部側の面にヘアドライヤー等を収納する収納部を設けている。
【先行技術文献】
【特許文献】
【０００３】
【特許文献１】特開２０１５−５４１６４号公報
【発明の概要】
【発明が解決しようとする課題】
【０００４】
しかし、特許文献１の従来技術に示されているように、収納部にヘアドライヤーやヘアアイロンを引っ掛けて収納した場合、特にヘアアイロンは使用後高温となるため、使用後すぐに収納すると、その高温となっている部分が他収納物に直接触れてしまうことで、他収納物に影響を与える恐れがある。また、使用者がヘアアイロンを収納する収納部以外に収納されたものを使用する際、手などが高温となっている部分に触れてしまい、火傷する恐れもある。
【０００５】
そこで本発明は、上記のような問題点を解決するために、収納用ラックおよびキャビネットおよび洗面化粧台提供することを目的とする。
【課題を解決するための手段】
【０００６】
上記課題を達成するために、本発明の収納用ラックは、キャビネットに取り付け可能な収納用ラックであって、前記収納用ラックは、ヘアスタイリングするためのヘアケア家電を立てて収納する収納部を備えている。前記収納部は、底面部と、前記底面部に垂直な側壁部を四面有し、上方から前記ヘアケア家電を出し入れ可能な開口部を備え、前記収納部の下部には、対向する二面の前記側壁部を架渡す前記ヘアケア家電の倒れを抑制するために倒れ防止部材を前記底面部よりも上方に備えている。
【０００７】
また、本発明のキャビネットは、収納用ラックを、備えている。
【０００８】
また、本発明の洗面化粧台は、前記キャビネットと洗面ボウルを備え、前記収納用ラックが、前記洗面ボウルよりも下方に位置している。
【発明の効果】
【０００９】
本発明は、高温になるヘアケア家電を収納時に倒れにくく、他収納物への影響を低減し、使い勝手を良くする事ができる。また、ヘアケア家電の使用する機会が多い場所にて使い勝手を良くする事ができる。さらには、ヘアセットをする使用者が座りながら使用する際にも、取り出しやすく、片付けやすい等、利便性を向上することができる。
【図面の簡単な説明】
【００１０】
【図１】本発明の収納用ラックの一実施形態にかかる斜視図。
【図２】本発明の洗面化粧台の一実施形態にかかる斜視図。
【図３】本発明のキャビネットに取り付けられた収納用ラックの斜視図。
【発明を実施するための形態】
【００１１】
以下、図１〜３に基づき、第一の実施形態について説明する。
【００１２】
洗面化粧台２は、収納物が複数収納可能なキャビネット２１と、そのキャビネット２１の上部に平板状のカウンタ２２と、を有し、カウンタ２２には洗面ボウル２３を備えるもので、図２に示すように、上下方向が決まる。カウンタ２２の下方は、両端にキャビネット２１を備え、その間に使用者は脚を入れることができ、座りながらの使用も可能となる。キャビネット２１の一部は、手前に引き出せる収納スペースとなっている抽斗部２４を備え、その抽斗部２４内にヘアスタイリングするためのヘアケア家電３を収納する収納用ラック１を備えるもので、図３に示すように、上下方向、前後方向が決まる。なお、ヘアケア家電３とは、ヘアドライヤーだけではなく、特にブラシが先端に取り付けられスタイリング時に使用するヘアドライヤーや、ヘアアイロンなど、使用後も高温状態を保持するような家電を指す。
【００１３】
収納用ラック１は、ヘアケア家電３を立てて収納できるように、底面部１１とその底面部１１に垂直な側壁部１２を四面有した収納部１０を備えている。ヘアケア家電３は、収納用ラック１の上方から出し入れできるよう、四面の側壁部１２の上部に開口部１３を備えるもので、図１に示すように、上下方向が決まる。
【００１４】
開口部１３の形状は長方形状となっており、開口部１３の長辺１３１をなす二面の側壁部１２の下部を掛け渡すように倒れ防止部材１４を備える。倒れ防止部材１４は、底面部１１よりも上方に備える。倒れ防止部材１４が備えられる位置は、ヘアケア家電３を上方から差し込んで収納した際、ヘアケア家電３の底面部１１側の端部が、その倒れ防止部材１４に当たる程度であればよい。
【００１５】
また、倒れ防止部材１４は、開口部１３から上方に突出させた第二の倒れ防止部材１４１をも有し、長辺１３１をなす二面の側壁部１２の上方を掛け渡すように備えられている。この第二の倒れ防止部材１４１が備えられる位置は、ヘアケア家電３を上方から差し込んで収納した際、ヘアケア家電３の開口部１３側の端部が、その第二の倒れ防止部材１４１に当たる程度であればよい。第二の倒れ防止部材１４１は、複数備えてよく、開口部１３を水平方向に仕切るように取り付けられ、複数の開口部１３を形成する。さらに、複数の第二の倒れ防止部材１４１は、開口部１３から上方に突出させて開口部１３と同形状の枠材１４２を備えてもよい。
【００１６】
また第二の倒れ防止部材１４１は、開口部１３の長辺１３１の端部に備えた場合、収納用ラック１からヘアケア家電３が開口部１３から外方に飛び出しすぎることで、抽斗部２４の引き出す動きを妨害することを抑制する。
【００１７】
さらに収納用ラック１は、ステンレス等の金属からなる線材にて形成される。開口部１３は、長辺１３１と短辺１３２を有する四角枠状線材１３３によって形成される。また、収納部１０の下部にも、四角枠状線材１３３とは別に同形状の四角枠状線材１３３を備える。四面の側壁部１２は、上部と下部との二つの四角枠状線材１３３にかけて、上下方向に直線の線材が複数架渡されて並設されている。の並設されている線材のピッチは、子供の指などが入らないよう、好ましくは５ｍｍ以下となるように密に並べて形成されている。また、上下方向に直線の線材が並設されることで、ヘアケア家電３を取り出す、または収納する際に、ヘアケア家電の端部がこの線材にひっかかることを低減する。
【００１８】
また、開口部１３の長辺１３１側の側壁部１２は、上側側壁部１２１と下側側壁部１２
２に分割されている。上側側壁部１２１は、上記の通り、開口部１３を取り囲むように、直線の線材を並設することで構成されている。下側側壁部１２２は、開口部１３の長辺１３１側の下部の四角枠状線材１３３よりもさらに下方に設けた対面する二つの横架材１３４に対し、底面部１１を通して一体に曲げ加工された線材を並設することで構成されている。これにより、上側側壁部１２１、下側側壁部１２２は、それぞれ一定の強度を得、撓みや変形を抑制することができる。
【００１９】
さらに、開口部１３の短辺１３２側の側壁部１２は、上側側壁部１２１のみを有し、上側側壁部１２１の下方には、開口を有する。そして、この開口からヘアケア家電３の端部が飛び出しをしないよう、架材１５が開口部１３の長辺１３１側の二面の下側側壁部１２２を架渡すように形成されている。
【００２０】
また、上下に一体に連結される倒れ防止部材１４と第二の倒れ防止部材１４１で、上記上側側壁部１２１と下側側壁部１２２とが固定される。
【００２１】
そして、収納用ラック１は、図３に示すように、抽斗部２４の化粧板２５の後方へ隣接して設置される。つまり、開口部１３の長辺１３１側の側壁部１２が前後方向に並ぶように設置される。このように設置することで、使用者が収納用ラック１以外に収納している他収納物を取り出す、または収納する際に、化粧板２５の高さ、または幅によって手などがヘアケア家電３の高温となっている部分に使用者の手などが触れてしまうことを抑制する。
【００２２】
上記の様に、本実施形態の収納用ラック１においては、キャビネット２１に取り付け可能であって、ヘアスタイリングするためのヘアケア家電３を立てて収納する収納部１０を備えている。収納部１０は、底面部１１と、底面部１１に垂直な側壁部１２を四面有し、上方からヘアケア家電３を出し入れ可能な開口部１３を備えている。収納部１０の下部には、対向する二面の側壁部１２を架渡し、ヘアケア家電３の倒れを抑制するために倒れ防止部材１４を底面部１１よりも上方に備えている。そのため、高温になるヘアケア家電を収納時に倒れにくく、他の収納物への影響を低減し、使い勝手を良くする事ができる。
【００２３】
また、本実施形態の収納用ラック１において、収納部１０は、開口部１３から上方に突出させた第二の倒れ防止部材１４１を有し、第二の倒れ防止部材１４１により収納部１０を仕切り、複数の開口部１３を形成することができる。そのため、複数のヘアケア家電３を収納することができ、それらヘアケア家電３が収納時に倒れにくく、他収納物への影響を低減し、使い勝手を良くする事ができる。
【００２４】
また、本実施形態の収納用ラック１において、収納部１０は、線材にて形成されていて、四面の側壁部１２は上下方向に線材が複数架渡されて並設されている。そのため、収納しているヘアケア家電３を取り出す際に線材に引っ掛かりにくく、使い勝手を良くする事ができる。
【００２５】
また、本実施形態のキャビネット２１では、収納用ラック１がキャビネット２１に取り付けられる。そのため、ヘアケア家電３の使用する機会が多い場所にて使い勝手を良くする事ができる。
【００２６】
また、本実施形態のキャビネット２１では、キャビネット２１は、内部に一部が抽斗部２４となる収納スペースを有し、収納用ラック１は、抽斗部２４に備えられている。そのため、ヘアメイクとともにヘアセットをする使用者にとって利便性を向上することができる。
【００２７】
また、本実施形態の洗面化粧台２では、キャビネット２１と洗面ボウル２３を備え、収納用ラック１が、洗面ボウル２３よりも下方に位置するすることで、ヘアセットをする使用者が座りながら使用する際にも、取り出しやすく、片付けやすい等、利便性を向上することができる。
【００２８】
以上、本発明を添付図面に示す実施形態に基づいて説明したが、本発明は上記実施形態に限定されるものではなく、本発明の意図する範囲内であれば、適宜の設計変更が可能である。
【００２９】
例えば、洗面ボウル２３は、カウンタ２２と一体に成形されていても、それぞれ別体を取り付けていてもよい。
【００３０】
また、カウンタ２２下方のキャビネット２１は両端に備えていなくてもよく、片側にのみキャビネット２１を備え、もう一方は収納部のない脚部となっていてもよい。また、カウンタ２２下方の全体にキャビネット２１を備えていてもよい。
【００３１】
そして、抽斗部２４内に取り付けられた収納用ラック１に収納するヘアケア家電３のコードを別途収納するトレイを収納用ラック１に近接して設置してもよい。
【００３２】
さらには、抽斗部２４の化粧板２５の後方へは、開口部１３の短辺１３２側の側壁部１２が並ぶように設置されてもよく、隣接されていなくてもよい。
【００３３】
そして、収納用ラック１は、抽斗部２４内に備えなくても、キャビネット２１の外方へ取り付けられてもよい。
【００３４】
また、収納用ラック１は、金属の線材以外でも、樹脂成型された箱状のものであっても構わない。
【００３５】
そして、収納用ラック１の開口部１３は長方形状に限らず、正方形状や、楕円形状、トラック形状であっても構わない。
【００３６】
また、枠材１４２は枠状になっているとは限らず、第二の倒れ防止部材１４１を開口部１３の長辺１３１側にそって、それぞれの枠材１４２を有してもよい。
【００３７】
さらには、倒れ防止部材１４と第二の倒れ防止部材１４１は、それぞれの別の線材で形成されても、一本の線材から一体に構成されるようにしてもよい。
【符号の説明】
【００３８】
１  収納用ラック
２  洗面化粧台
３  ヘアケア家電
１０  収納部
１１  底面部
１２  側壁部
１３  開口部
１４  倒れ防止部材
１４１  第二の倒れ防止部材
２１  キャビネット
２２  カウンタ
２３  洗面ボウル
２４  抽斗部
【図１】
2019072293.tif 000003
【図２】
2019072293.tif 000004
【図３】
2019072293.tif 000005